(57)【要約】【課題】  ユーザの使用状態に応じて、人体への影響を低減させるとともに、通信品質を維持する通信システムを提供する。【解決手段】  情報処理装置と、無線通信端末と、当該情報処理装置と当該無線通信端末との間で送受信されるデータを中継可能な中継装置と、を有する通信システムにおいて、情報処理装置は、中継装置、または、無線通信端末と接続する第１接続部と、第１接続部における接続先を検出する検出部と、検出部において検出された接続先に応じて、無線通信に関する指示情報を無線通信端末に送信する第１制御部と、を備え、無線通信端末は、情報処理装置、または、中継装置と接続する第２接続部と、情報処理装置から受信したデータを外部装置に無線伝送する通信部と、情報処理装置から送信された指示情報に基づいて、無線通信部を制御する第２制御部と、を備える。【選択図】  図２
2011010060.tif 000002
【特許請求の範囲】
【請求項１】
情報処理装置と、無線通信端末と、当該情報処理装置と当該無線通信端末との間で送受信されるデータを中継可能な中継装置と、を有する通信システムであって、
前記情報処理装置は、
前記中継装置、または、前記無線通信端末と接続する第１接続部と、
前記第１接続部における接続先を検出する検出部と、
前記検出部において検出された接続先に応じて、無線通信に関する指示情報を前記無線通信端末に送信する第１制御部と、を備え、
前記中継装置は、
前記情報処理装置と、前記無線通信端末と接続している場合に、受信したデータを中継する中継部と、を備え、
前記無線通信端末は、
前記情報処理装置、または、前記中継装置と接続する第２接続部と、
前記情報処理装置から受信したデータを外部装置に無線伝送する無線通信部と、
前記情報処理装置から送信された前記指示情報に基づいて、前記無線通信部を制御する第２制御部と、を備えることを特徴とする通信システム。
【請求項２】
前記指示情報とは、前記無線通信端末の前記無線通信部における、送信出力に関する指示情報であり、
前記情報処理装置における第１制御部は、
前記検出部において、前記中継装置を接続先として検出し、かつ、前記中継装置に前記無線通信端末が接続していると検出した場合には、送信出力を設定可能な範囲内で設定させる指示情報を前記無線端末に送信し、
前記無線通信端末における第２制御部は、
前記情報処理装置から前記指示情報を受信した場合には、前記無線通信部における送信出力を所定値以下に設定させる第１制御から、前記設定可能な範囲内での送信出力に設定させる第２制御に切り替える、ことを特徴とする請求項１に記載の通信システム。
【発明の詳細な説明】
【技術分野】
【０００１】
本発明は、通信システムに関する。
【背景技術】
【０００２】
昨今、携帯電話やＰＨＳ（Personal Handy-phone System）など、様々な携帯通信端末が提供されている。これらの携帯通信端末では、音声通話時において人体と近接するため、携帯通信端末から放射される電波の人体への影響が懸念されている。そのため、ＳＡＲ（Specific Absorption Rate）規格を準拠する対策が施されている。
例えば、特許文献１では、通話時に人体と近接する箇所に電波反射層を備えることで、近接する人体方向へ放射される電波を低減させる移動体通信機が開示されている。
また、特許文献２の移動体通信機器では、指向性と無指向性の複数のアンテナを有し、ユーザの使用状態に応じて、使用するアンテナを切り替えることで、人体方向へ放射される電波を低減させる技術が開示されている。
【先行技術文献】
【特許文献】
【０００３】
【特許文献１】特開平１１−１３６１５６号公報
【特許文献２】特開２００２−２６１６７９号公報
【発明の概要】
【発明が解決しようとする課題】
【０００４】
しかし、特許文献１の移動体通信機では、常に電波反射層のない方向へ指向性が形成されることとなる。そのため、通話時の様に人体に近接して使用しない場合、例えば、データ通信時などにおいても指向性が形成されるとともに、ＳＡＲ準拠に伴う送信出力の抑制のため、通信品質を確保できないという問題が生じる場合がある。
また、特許文献２の移動体通信機器では、ユーザの使用状態を検出する検出回路や、制御回路、ソフトウェア制御を必要とする。そのため、移動体通信機器の構成が複雑になるだけでなく、ヒンジを動かすたびに当該制御を行わなければならないという問題が生じる。
そこで、本発明は、このような問題に鑑み、検出回路、制御回路、ソフトウェア制御といった複雑な構造を備えることなく、ユーザの使用状態に応じて、人体方向へ放射される電波を低減させることが可能な通信システムを提供することを目的とする。
【課題を解決するための手段】
【０００５】
上記課題を解決するために、本発明にかかる通信システムの代表的な構成は、情報処理装置（情報処理装置１００）と、無線通信端末（無線通信端末２００）と、当該情報処理装置と当該無線通信端末との間で送受信されるデータを中継可能な中継装置（中継装置３００）と、を有する通信システムであって、前記情報処理装置は、前記中継装置、または、前記無線通信端末と接続する第１接続部（接続部１１６）と、前記第１接続部における接続先を検出する検出部（検出部１３４）と、前記検出部において検出された接続先に応じて、無線通信に関する指示情報を前記無線通信端末に送信する第１制御部（ＵＴ指示部１３０）と、を備え、前記中継装置は、前記情報処理装置と、前記無線通信端末と接続している場合に、受信したデータを中継する中継部（中継部３１２）と、を備え、前記無線通信端末は、前記情報処理装置、または、前記中継装置と接続する第２接続部（接続部２１６）と、前記情報処理装置から受信したデータを外部装置に無線伝送する無線通信部（無線通信部２１４）と、前記情報処理装置から送信された前記指示情報に基づいて、前記無線通信部を制御する第２制御部（制御部２１２）と、を備える。
情報処理装置と無線通信端末との接続状態（直接的、または、間接的に接続したか）に応じて、情報処理装置から指示情報が送信され、無線通信端末の第２制御部は、指示情報を受信した場合に無線通信部の制御を行う。これにより、ユーザの使用状態に応じて、人体方向へ放射される電波を低減させることができる。
また、前記指示情報とは、前記無線通信端末の前記無線通信部における、送信出力に関する指示情報であり、前記情報処理装置における第１制御部は、前記検出部において、前記中継装置を接続先として検出し、かつ、前記中継装置に前記無線通信端末が接続していると検出した場合には、送信出力を設定可能な範囲内で設定させる指示情報を前記無線端末に送信し、前記無線通信端末における第２制御部は、前記情報処理装置から前記指示情報を受信した場合には、前記無線通信部における送信出力を所定値以下に設定させる第１制御から、前記設定可能な範囲内での送信出力に設定させる第２制御に切り替えてもよい。
情報処理装置と無線通信端末とが、直接的、または、間接的に接続したかに応じて、無線通信端末の最大送信出力を切り替える。これにより、情報処理装置と無線通信端末とが直接接続している場合には、無線通信端末が人体に近接しているおそれがあるため、送信出力を設定値以下にし、一方、間接的に接続している場合には、無線通信端末が人体に近接していないと考えられるので、設定可能な範囲内での送信出力の制御を行う。これにより、ユーザの使用状態に応じて、人体方向へ放射される電波を低減することができる。
【発明の効果】
【０００６】
検出回路、制御回路、ソフトウェア制御といった複雑な構造を備えることなく、ユーザの使用状態に応じて、人体方向へ放射される電波を低減することができる。
【図面の簡単な説明】
【０００７】
【図１】本発明の実施形態に係る通信システムを示した概略構成図である。
【図２】本発明の実施形態に係る通信システムの構成を示した機能ブロック図である。
【図３】本発明の実施形態にかかる通信システムにおける、無線通信開始時の動作を示したフローチャートである。
【発明を実施するための形態】
【０００８】
以下に添付図面を参照しながら、本発明の好適な実施形態について詳細に説明する。
図１は、本実施形態にかかる通信システムの概略的な構成を説明するための図である。  図１に示すように、通信システム１０は、情報処理装置１００と、無線通信端末２００、および、中継装置３００と、から構成されている。
情報処理装置１００は、パーソナルコンピュータ、ノート型パーソナルコンピュータ等様々な電子機器で構成され、ユーザの入出力インターフェースとして機能する。
無線通信端末２００は、無線通信機能を備え、例えば、情報処置装置１００と、中継装置と３００に設けられたＵＳＢ（Universal Serial Bus）ポート等と電気的に接続して、情報処理装置１００と、無線基地局（図示しない）との通信を可能にしている。
中継装置３００は、Ｈｕｂ機能を備えるクレードルで構成され、例えば、情報処理装置１００に設けられたＵＳＢポート等と電気的に接続するとともに、自身が有するＵＳＢポート等で無線通信端末２００と電気的に接続可能である。
尚、無線通信端末２００は、図１（Ａ）に示す様に、中継装置３００と接続可能であり、また、図１（Ｂ）に示す様に、中継装置３００を介することなく直接に情報処理装置１００と接続することができる。
図２は、本実施形態にかかる通信システムの構成を示した機能ブロック図である。  
図２に示すように、情報処理装置１００は、揮発性メモリの１つであるＲＡＭ１１０、不揮発性の記憶装置であるＨＤＤ（Hard Disk Drive）１１２、制御部１１４（通信制御部１２６、ＵＴ指示部１３０、検出部１３４）、接続部１１６、および、液晶ディスプレイなどで構成される表示部１１８を含んで構成される。
制御部１１４は、たとえばＣＰＵ（Central Processing Unit）およびＣＰＵの動作を制御するプログラムで構成され、情報処理装置１００の各部を制御する。また、図２に示すように、制御部１１４は、通信制御部１２６、ＵＴ指示部１３０、および検出部１３４を機能的に含み、無線通信端末２００との接続状態に応じて、当該無線通信端末２００が無線通信を行う際の送信出力の制御などを行う。
【０００９】
通信制御部１２６は、たとえばＨＤＤ１１２に記憶される通信制御プログラムをＣＰＵが実行することにより実現される。通信制御部１２６は、ＵＴ指示部１３０や実行中のアプリケーション（図示せず）などと、接続部１１６に接続された周辺装置（無線通信端末２００、中継装置３００）と、の間で送受されるデータを中継する。
【００１０】
ＵＴ指示部１３０は、たとえばＨＤＤ１１２に記憶される無線通信端末２００用のプログラムをＣＰＵが実行することにより実現される。ＵＴ指示部１３０は、通信制御部１２６を介して、接続部１１６に直接接続された無線通信端末２００、または、中継装置３００を介して間接的に接続された無線通信端末２００との間で通信データおよび制御データを送受する。また、ＵＴ指示部１３０は、検出部１３４から出力される、無線通信端末２００との接続状態に応じて、無線通信端末２００が無線通信を実行する際の送信出力を指示する指示情報を送信するための処理を行う。この指示情報は、無線通信端末２００と、中継装置３００を介して間接的に接続している場合に、送信出力を設定可能な範囲内で設定するよう指示するものである。一方、無線通信端末２００と直接接続している場合には、予め無線通信端末２００に設定されている、送信出力を所定値以下にする無線通信を維持させるため、指示情報は送信しない。なお、所定値は、ＳＡＲ規格を準拠するために設定されている値である。
検出部１３４は、後述する接続部１１６が、無線通信端末２００と直接接続したか、または、中継装置３００を介して無線通信端末２００と間接的に接続したか、を検出する。検出部１３４は、検出結果を、ＵＴ指示部３０に出力する。
【００１１】
図２に示すように、無線通信端末２００は、情報処理装置１００または中継装置３００との通信を制御する通信制御部２１０、制御部２１２、無線基地局（図示せず）と通信を行う無線通信部２１４、接続部２１６、を含んで構成される。無線通信端末２００は、接続部２１６によって、情報処理装置１００の接続部１１６に直接接続、または、中継装置３００の接続部３１４に接続することで情報処置装置１００と間接的に接続される。
制御部２１２は、たとえばＣＰＵおよびＣＰＵの動作を制御するプログラムで構成され、無線通信端末２００の各部を制御する。制御部２１２は、情報処置装置１００からの指示によって無線通信を行う際、情報処理装置１００から指示情報を受信するか否かに応じて、無線通信部２１４が無線基地局との無線通信を実行する際に設定可能な送信出力を制御する。そして、情報処理装置１００と無線通信端末２００が直接接続されている場合には、指示情報が送信されないので、無線通信端末２００と人体とが近接すると判断して、予め設定されているように、送信出力を所定値以下に抑える。一方、無線通信端末２００が、中継装置３００を介して情報処理装置１００と間接的に接続している場合には、指示情報が情報処理装置１００から送信され、受信すると、無線通信を開始する際、無線通信部２１４に、送信出力を設定可能な範囲内で設定させる。
【００１２】
図２に示すように、中継装置３００は、情報処理装置１００または無線通信端末２００との通信を制御する通信制御部３１０、情報処理装置１００と無線通信端末２００との間で送受信するデータを中継する中継部３１２、情報処理装置１００と接続する情報処理装置用接続部３１４、無線通信端末２００と接続する無線通信端末用接続部３１６、とを含んで構成される。
図３は、本発明の実施形態にかかる通信システムにおける、無線通信開始時の動作を説明するフローチャートである。
【００１３】
ステップＳ３１において、情報処理装置１００は、周辺装置（無線通信端末２００、または、中継装置３００）が接続されたことを検出する。
【００１４】
ステップＳ３２において、情報処理装置１００は、無線通信端末２００が、直接接続したのか、または、中継装置３００を介して間接的に接続したか、を検出する。無線通信端末２００が、中継装置３００を介して間接的に接続された場合には、ステップＳ３３に進む。一方、無線通信端末２００が直接接続された場合には、ステップＳ３４に進む。
【００１５】
ステップＳ３３において、情報処置装置１００は、無線通信端末２００に対して設定可能な範囲内の送信出力でのデータ送信に切り替えさせるための指示情報を送信する。
【００１６】
ステップＳ３４において、無線通信端末２００は、情報処理装置１００から指示情報を受信する。
【００１７】
ステップＳ３５において、情報処理装置１００は、無線通信端末２００に無線通信の開始を指示する。
【００１８】
ステップＳ３６において、無線通信端末２００は、情報処理装置１００からの指示情報を受信したか否かに応じた送信出力を設定する。ステップＳ３３において、指示情報を送信されている場合には、設定可能な範囲内の送信出力で、無線基地局との通信品質を維持することができる送信出力を設定する。一方、指示情報を送信されていない場合には、所定値以下の送信出力を設定する。
【００１９】
ステップＳ３７において、情報処理装置１００は、無線通信端末２００を介して無線基地局と通信を行う。
なお、本発明は、上記実施形態に限定されるものではなく、種々の変形実施が可能である。
たとえば、情報処理装置１００と無線通信端末２００とを接続するためのインターフェース規格として、ＵＳＢではなく、ＰＣＩ Ｅｘｐｒｅｓｓ（Peripheral Component Interconnect Express）やＰＣＭＣＩＡ（Personal Computer Memory Card International Association）などを用いてもよい。
【符号の説明】
【００２０】
１０…通信システム、１００…情報処理装置、１１０…ＲＡＭ、１１２…ＨＤＤ、１１４…制御部、１１６…接続部、１１８…表示部、１２６…通信制御部、１３０…ＵＴ指示部、１３４…検出部、２００…無線通信端末、２１０…通信制御部、２１２…制御部、２１４…無線通信部、２１６…接続部、３００…中継装置、３１０…通信制御部、３１２…中継部、３１４…情報処理装置用接続部、３１６…無線通信端末用接続部。
【図１】
2011010060.tif 000003
【図２】
2011010060.tif 000004
【図３】
2011010060.tif 000005